(57)【要約】【課題】発電プラントからの電力供給に対して、節電対策に貢献し得る映像表示装置を提供する。【解決手段】実施形態において、映像表示装置は、電源切換部と、電源制御部と、スイッチ部と、を具備する。電源切換部は、装置の動作に用いる直流電源を商用電源から供給する第１の電源部と、同直流電源を内部から供給する第２の電源部と、を切り換える。電源制御部は、前記電源切換部により前記第２の電源部が選択され、動作している間、操作信号の入力を受け付け可能とするための動作に必要な電源容量について、前記第１の電源部から供給させる。スイッチ部は、前記電源切換部において、前記第１の電源部からの前記操作信号の入力を受け付け可能とするための動作に必要な電源容量を、切り換えられた前記第２の電源部からの電源供給と独立に提供する。【選択図】図１
2013005108.tif 000002
【特許請求の範囲】
【請求項１】
装置の動作に用いる直流電源を商用電源から供給する第１の電源部と、同直流電源を内部から供給する第２の電源部と、を切り換える電源切換部と、
前記電源切換部により前記第２の電源部が選択され、動作している間、操作信号の入力を受け付け可能とするための動作に必要な電源容量について、前記第１の電源部から供給させる電源制御部と、
前記電源切換部において、前記第１の電源部からの前記操作信号の入力を受け付け可能とするための動作に必要な電源容量を、切り換えられた前記第２の電源部からの電源供給と独立に提供するスイッチ部と、
を具備する映像表示装置。
【請求項２】
前記スイッチ部は、少なくとも２つの電源供給系を含み、少なくとも１つの電源供給系により、前記電源制御部と前記第１の電源と間の接続を維持する請求項１記載の映像表示装置。
【請求項３】
前記スイッチ部の前記少なくとも１つの電源供給系は、操作信号の入力を受け付け可能とするための動作に必要な電源容量を提供する請求項１または２記載の映像表示装置。
【請求項４】
前記第２の電源部は、所定の容量の電力供給能を有する充電池を含む請求項３記載の映像表示装置。
【請求項５】
外部から供給される直流電源を内部に保持する直流電源に切り換える際に、操作信号の受け付けを可能とするための必要容量について、外部から供給される直流電源との接続を維持して駆動する駆動方法。
【請求項６】
外部から供給される直流電源を内部に保持する直流電源に切り換えに、少なくとも２つの電源供給系を含むスイッチ要素を用い、少なくとも１つの電源供給系により、外部から供給される直流電源との接続を維持する請求項５記載の駆動方法。
【請求項７】
映像信号及び音声信号を受信する受信部と、
前記受信部が受信した映像信号及び音声信号を再生する再生部と、
前記再生部が再生した映像を表示する表示部と、
少なくとも前記受信部、再生部及び表示部の動作を制御する制御部と、
前記制御部に対する制御指示を受け付ける指示入力部と、
前記各部に、商用電源または内蔵電源から電源を供給する電源制御部と、
前記電源制御部が前記内蔵電源から電源を供給する際に、前記指示入力部に対して前記商用電源からの電源供給を維持する切換部と、
を具備するテレビジョン受信装置。
【請求項８】
前記切換部は、少なくとも２つの電源供給系を含み、少なくとも１つの電源供給系により前記指示入力部への電源供給を維持する請求項７記載のテレビジョン受信装置。
【発明の詳細な説明】
【技術分野】
【０００１】
本発明の実施の形態は、非商用電源を用いる動作が可能な映像表示装置に関する。
【背景技術】
【０００２】
例えば、パーソナルコンピュータ等の携帯可能な電子装置である映像表示装置においては、商用電源との接続が無い場合においても動作が可能である。また、テレビジョン放送を受信するテレビジョン受信装置においても、主としてバッテリーにより動作するものが実用化されている。
【先行技術文献】
【特許文献】
【０００３】
【特許文献１】特開２０００−２９５７６号公報
【特許文献２】特開２００８−５１５３号公報
【発明の概要】
【発明が解決しようとする課題】
【０００４】
近年は、電力供給会社の発電プラントから供給される電力に対する節電対策が話題となっている。発電プラントからの電力供給量に対して管轄地域の全体電力消費量が多くなると、停電が生じ、工場、病院、などで多大な被害を生じる恐れがある。
【０００５】
本発明は、発電プラントからの電力供給に対して、節電対策に貢献し得る映像表示装置を提供するものである。
【０００６】
例えば、電力供給元が商用電源であるか自電源であるかに拘わりなくテレビジョン放送を受信可能で、リモートコントローラからのテレビ放送の視聴のための操作により自電源から商用電源への切り換えがテレビジョン受信装置もしくは映像表示装置を提供するものである。
【課題を解決するための手段】
【０００７】
実施形態によれば、実施形態において、映像表示装置は、電源切換部と、電源制御部と、スイッチ部と、を具備する。電源切換部は、装置の動作に用いる直流電源を商用電源から供給する第１の電源部と、同直流電源を内部から供給する第２の電源部と、を切り換える。電源制御部は、前記電源切換部により前記第２の電源部が選択され、動作している間、操作信号の入力を受け付け可能とするための動作に必要な電源容量について、前記第１の電源部から供給させる。スイッチ部は、前記電源切換部において、前記第１の電源部からの前記操作信号の入力を受け付け可能とするための動作に必要な電源容量を、切り換えられた前記第２の電源部からの電源供給と独立に提供する。
【図面の簡単な説明】
【０００８】
【図１】実施形態であるテレビジョン受信装置の全体構成の一例を示す概略図。
【図２】リモートコントローラの代表的な概要の一例を示す概略図。
【図３】図１のテレビジョン受信装置の動作の一例を示す概略図。
【図４】図１のテレビジョン受信装置が表示器に出力する幾つかの表示例の代表的な例を示す概略図。
【図５】図１のテレビジョン受信装置がフルセグメント受信状態からワンセグメント受信状態に切換るときの画像切換りタイミングの一例を示す概略図。
【図６】図１のテレビジョン受信装置が節電動作を行っている際の表示器における画面の代表的な例を示す概略図。
【図７】図１のテレビジョン受信装置の表示器におけるバックライト機構の例を示す概略図。
【図８】図１のテレビジョン受信装置の表示器におけるバックライト機構の他の例を示す概略図。
【図９】図１のテレビジョン受信装置に対して節電のための省エネ設定を行うときのリモートコントローラの操作子とメニューの例を示す概略図。
【図１０】本実施形態で利用された節電動作及び又はピークシフト動作の設定画面の一例を示す図。
【図１１】テレビジョン受信装置が商用ＡＣ電源で動作開始したきと、ピークシフト動作への移行時に一時的に表示されてその後消える輝度状態を示すインジケータの例を示す図。
【発明を実施するための形態】
【０００９】
以下、実施の形態について図面を参照して説明する。
【００１０】
図１は、実施形態を適用する映像表示装置（例えばテレビジョン受信装置もしくはＰＣ（Personal Computer，パーソナルコンピュータ）の一例を示す。なお、以下に説明する要素や構成あるいは機能は、ハードウエアで実現するものであってもよいし、マイクロコンピュータ（ＣＰＵ、処理装置）等を用いてソフトウエアで実現するものであってもよい。
【００１１】
図１に示す映像表示装置（テレビジョン受信装置）においては、ＵＨＦアンテナ１０１は、地上波テレビジョン放送の電波をキャッチすることができ、そのブースター１０２には、電力が供給されている。現行の地上波デジタル放送では、１２セグメント（フルセグメント、或いはフルセグと称しても良い）と、ワンセグメント（あるいはワンセグと称しても良い）の放送信号が設定されている。ＵＨＦアンテナ１０１は、少なくともフルセグメントの放送信号を受信するために利用される。もちろん、ＵＨＦアンテナ１０１を経由してワンセグを受信することも可能である。なお、主としてワンセグメントの放送信号を受信する場合には、室内アンテナ１０５が利用される。また、室内アンテナ１０５を用いる場合においても、例えば放送局との間の距離が比較的近い、例えば１０ｋｍ程度の地域あるいは放送局との間に放送信号（電波）をさえぎるものが少ない、もしくは比較的標高がある、または受信位置が高所に位置する、等のいくつかの要因に従い、フルセグメントを受信することもできる。
【００１２】
なお、ＵＨＦアンテナ１０１は、外部アンテナ或いは屋外アンテナと称してもよいし、室内アンテナ１０５は、内部アンテナ或いは屋内アンテナと称しても良い。また、室内アンテナ１０５は、テレビジョン受信装置に一体に設けられ、主としてワンセグを受信するワンセグアンテナ１０６に置き換えることもできる。なお、ワンセグアンテナ１０６は、例えばモノポールタイプ（ロッドアンテナ）として、テレビジョン受信装置のフレームあるいは筐体に固定することもできる。ワンセグアンテナ１０６は、スタンド（脚部）を伴い、テレビジョン受信装置の近傍に、自立するよう、位置されてもよい。
【００１３】
また、ワンセグアンテナ１０６は、室内アンテナ１０５と併用されることにより、ダイバシティーアンテナとしても機能できる。
【００１４】
ＵＨＦアンテナ１０１は、アンテナ接続基板１０８を介して、チューナ１１０に接続されることができる。室内アンテナ１０５も、アンテナ接続基板１０８を介して、チューナに接続されることができる。ＵＨＦアンテナ１０１の使用状態から、室内アンテナ１０５の使用自体に変更されるときは、ＵＨＦアンテナ１０１の端子がアンテナ接続板１０８の１つのコネクタから抜き取られ、代わりに室内アンテナ１０５の端子がアンテナ接続板１０８の前記１つのコネクタに接続される。又は、アンテナ接続板１０８の２つのコネクタに、ＵＨＦアンテナ１０１と室内アンテナ１０５が常時接続されており、何れか一方が、切替えスイッチにより選択されて、選択されたアンテナが使用状態となってもよい。さらに、上述のように、切り換え部１０７により、主としてワンセグメント受信時にアンテナ接続基板１０８と接続されるアンテナが、室内アンテナ１０５または内蔵アンテナ１０６のいずれか一方に設定されてもよい。また、室内アンテナ１０５及びワンセグアンテナ１０６の出力は、切り換え部１０７による切り換えに従い、アンテナ接続基板１０８への出力時に、いずれか一方の出力が選択されるものであってもよい（放送信号の受信に用いるアンテナが自動的に切り換えられる）。
【００１５】
チューナ１１０は、フルセグメント受信回路１１１と、ワンセグメント受信回路１１２を含み、いずれか一方の受信状態に設定される。受信状態を切替えるための制御信号は、制御ブロック４００から出力される。制御ブロック４００については、後でさらに詳しく説明する。
【００１６】
チューナ１１０で選択されたチャンネル内に含まれる復調された番組信号は、信号処理器２００に入力される。信号処理器２００は、映像信号処理回路２０１、オーディオ信号処理系２０２を含む。映像信号処理回路２０１は、符号化（エンコード）されている映像信号を元のベースバンドの映像信号に復号化（デコード）する。符号化・復号化方式は、例えばＭＰＥＧ（Moving Picture Experts Group）、Ｈ．２６４／ＡＶＣ（Advanced Video Coding）などの方式がある。映像信号処理回路２０１から出力されるベースバンドの映像信号が、表示器３００に供給される。
【００１７】
オーディオ信号処理回路２０２は、番組信号からオーディオストリームを取り出し復号する。復号されたオーディオ信号は、デジタルアナログ変換器２０３にてアナログ信号に変換されて、スピーカ２０４に供給される。図１の例は、ヘッドホーンを示しているがヘッドホーンに限定されるものではなく、据え置き型のスピーカであってもよいことは勿論である。
【００１８】
信号処理器２００は、制御ブロック４００の制御の元で、外部機器との接続が可能である。例えばＨＤＭＩ（High-definition Digital Media Interface）２０５を介して、外部の情報記録再生装置、例えば光ディスク（ＤＶＤ、ＢＤ（登録商標）など）記録再生装置と接続されることが可能である。従って、信号処理器２００は、外部の情報記録再生装置からの再生信号を受け取り、表示出力のための信号処理、オーディオ出力のための信号処理を行うことができる。また、外部の情報記録再生装置に向けて、記録のための信号を伝送することが可能である。
【００１９】
また信号処理器２００は、制御ブロック４００の制御の元で、ＵＳＢ（Universal Serial Bus）２０６を介して、ハードディスクドライブ（ＨＤＤ）２０７との接続も可能である。このハードディスクドライブ２０７は、バッテリー２０８を搭載しており、停電時には、例えば２−３時間程度の自力ドライブが可能である。
【００２０】
制御ブロック４００は、主マイクロプロセシングユニット（以下主ＭＰＵと記す）４０１と、副マイクロプロセシングユニット（副ＭＰＵと記す）４０２を含む。主ＭＰＵ４０１は、電子プログラムガイド管理系（以下ＥＰＧ管理系）４０１ａ，動作状態制御系４０１ｂ、表示状態制御系４０１ｃを含む。
【００２１】
なお制御ブロック４００の名称、主ＭＰＵ４０１、副ＭＰＵ４０２の名称、（以下ＥＰＧ管理系）４０１ａ，動作状態制御系４０１ｂ、表示状態制御系４０１ｃの名称は、このような名称に限定されるものではない。例えば主制御回路、副制御回路、ＥＰＧ処理回路、動作状態制御回路、表示状態制御回路、或いは回路の代わりにモジュール或いはブロックを用いてもよい。また、ここでは名称を機能毎に分類したが、各機能が一体となった、或いは各機能が組み合わせられた名称が付されてもよい。
【００２２】
ＥＰＧ管理系４０１ａは、インターネット或いは放送信号に含まれる番組情報を取得して、番組表データを作成し、ランダムアクセスメモリ（以下ＲＡＭと記す）４５１に格納することができる。またＥＰＧ管理系４０１ａは、表示状態制御系４０１ｃの制御動作と協働して、ＲＡＭ４５１に格納している番組表を読出し、表示器３００へ出力することができる。さらにまた、定期的にＲＡＭ４５１に格納している番組表の情報を修正、変更することができる。
【００２３】
なおＲＡＭ４５１は、書き込み読出しが可能なメモリであればよく、不揮発性メモリなども含まれる。またＲＡＭ４５１には、オンスクリーンディスプレイ（ＯＳＤ）のための各種のデータ（アイコン、警告文字情報、チャンネル番号など）が格納されていてもよいことは勿論である。また制御ブロック４００には、リードオンリーメモリ（ＲＯＭ）４５２が接続されており、ＲＯＭ４５２には、例えば、テレビジョン受信装置で利用される各種のソフトウエアが格納されている。ソフトウエアは、テレビジョン受信装置が動作するとき、例えばＲＡＭ４５１に展開されて、操作信号や指令信号に応じて動作手順を実行する。
【００２４】
動作状態制御系４０１ｂは、外部或いは内部の状態信号、或いは外部からの操作信号に応答して、テレビジョン受信装置内のブロックの状態を制御する。例えば、チューナ１１０における受信状態を、ワンセグ受信状態からフルセグ受信状態に切替えたり、或いはフルセグ受信状態からワンセグ受信状態に切替えることができる。さらに信号処理器２００における信号処理状態を制御することができる。例えば、自動或いは手動に関わらす、設定された条件に応じてカラー調整、輝度調整、電源の部分シャットオフなどを制御することも可能である。
【００２５】
表示状態制御系４０１ｃは、表示器３００のバックライトの調整、バックライトの照明エリアの制御行うことができ、さらにまた映像信号の輝度制御、拡大縮小制御、さらには表示位置の移動制御などを行うことができる。
【００２６】
副ＭＰＵ４０２は、電源制御系４０２ａ、操作信号対応系４０２ｂを含む。
【００２７】
電源制御系４０２ａは、ＤＣ／ＤＣ変換器５０１が供給するＤＣ（直流）±５Ｖのいずれかにより動作し、主ＭＰＵ４０１の動作に利用される、例えば±１２Ｖ及び３１Ｖ（または２４Ｖ）の主ＭＰＵ４０１への供給のオン／オフ、例えば表示器３００のバックライトの駆動電流の供給、等を、主として制御する。なお、以下に説明する操作信号対応系４０２ｂがリモートコントローラ７００からの操作信号を受けつけるための待機用に要求のある電力は、例えばプラグ５５１が商用電源（コンセント）と非接続状態である（プラグがコンセントから抜かれている）場合、あるいはバッテリー５５３の充電量が非放電レベルまで低下している場合等、電力供給が実質的に不能に陥ることの無い限り、電源制御系４０２ａの制御により、維持される（ＡＣアダプタ５５２から供給される）。
【００２８】
操作信号対応系４０２ｂは、リモートコントローラ７００から送信された操作信号が、リモコン信号受信器４５５を介して入力したとき前記操作信号を解析する。操作信号対応系４０２ｂは、操作信号を解析した結果に応じて、テレビジョン受信装置の動作状態を制御する。動作状態としては、主電源のオン／オフ、主ＭＰＵ４０１の起動/停止、副ＭＰＵＰ４０２への指令伝達などを行う。なお操作信号は、リモコン受信器４５５からだけでなく、手動操作部４５６からも入力することができる。手動操作部４５６がユーザにより操作されると、操作信号が操作信号対応系４０２ｂにより解析される。
【００２９】
次に、電源系統について説明する。プラグ５５１から取り込まれる商用交流電源が、ＡＣアダプタ５５２で整流されて電源出力回路５００に入力される。電源出力回路５００は、ＡＣアダプタ５５２の出力を用いて各種直流電圧に変換している。ＡＣアダプタが無い場合は、電源出力回路５００は、商用交流電源を整流して、種々の値の直流電圧を生成することができる。また電源出力回路５００は、バッテリー５５３からの電源を取り込むことができる。電源出力回路５００はバッテリー５５３からの直流電圧をＤＣ／ＤＣ変換器５０１で変換し、種々の値の直流電圧を生成することができる。
【００３０】
電源出力回路５００は、電源制御系４０２の制御の元で、テレビジョン受信装置の電源使用状態を、商用電源使用状態、バッテリー電源使用状態に切り替わることができる。この電源使用状態は、スイッチ（ＳＷ）５０２が、電源制御系４０２により制御されることで切り替わることができる。なお、スイッチ５０２は、少なくとも２系統の接点を含み、かつ全ての接点が同時にオン／オフすることのない多接点であることが好ましい。また、スイッチ５０２は、マルチタップのような、例えば供給される電圧の変化に応じて接点のオン／オフを制御できるスイッチング素子や無接点スイッチ、例えばＳＳＲ（ソリッドステートリレー）を含むことが好ましい。
【００３１】
制御ブロック４００には、送受信器４６０が接続されている。この送受信器４６０は、近距離無線通信器４６１を含む。近距離無線通信器４６１は、アンテナ４６２を介して、携帯端末８００との通信を行うことができる。さらに送受信器４６０は、ネットワーク通信器４６３を含む。ネットワーク通信器４６３は、ネットワーク６１０に接続され、サーバー６１１と通信を行うことができる。
【００３２】
図２（Ａ），図２（Ｂ）には、リモートコントローラ７００の各種の操作ボタンを示している。テレビジョン受信装置の電源をオン／オフする電源ボタン７１１が繰り返し操作されることにより、テレビジョン受信装置の電源のオン、オフを繰り返すことができる。電源ボタン７１１によりテレビジョン受信装置の電源がオフされた状態であっても、図１で説明した副ＭＰＵ４０２、リモコン受信器４５５は、電源出力回路５００からの補助電源、例えば±５Ｖ（ＤＣ）、１２Ｖ（ＤＣ）あるいは３１Ｖ（同）等が供給されており、リモートコントローラ７００からの操作信号を受け付けることができる。入力切換ボタン７１２は、テレビジョン受信装置１に接続されている外部機器からの入力の取り込み状態と、非取り込み状態を切替えるためのボタンである。
【００３３】
例えば入力切換ボタン７１２が繰り返し押されると、デジタル放送受信状態→ＨＤＭＩからの信号取り込み状態→ビデオ入力状態→Ｄ端子入力状態→デジタル放送受信状態と変
化する。
【００３４】
ピークシフトボタン７２１は、電力供給源（電力会社の電力供給プラント）の電力消費量の低減協力を行うために利用することができる。スタンバイ状態のとき、このピークシフトボタン７２１が操作されると、テレビジョン受信装置は、例えばバッテリーの使用状態に切り替わることができる。
【００３５】
商用電源の使用状態のときは、図４（Ｂ）に示すように、画面の隅に例えばプラグのアイコンが表示され、バッテリーの使用状態のときは、図４（Ｃ）に示すように、画面の隅にバッテリーマークのアイコンが表示され、同時にバッテリー残量も表示される。アイコンの形態は、図に示す形態に限らず、電源の種類を識別可能であれば他の変形例が種々可能であり、文字を含んでいてもよい。
【００３６】
節電ボタン７２２は、テレビジョン受信装置を節電状態（或いは節電モード）に切替えることができる。
【００３７】
この節電ボタン７２２が操作されると、テレビジョン受信装置は、例えば、画面の明るさが暗くなり、加えて画質パラメータが変化されて節電状態となる。
【００３８】
つまり、節電ボタンを押すと、バックライトの明るさを暗くして節電状態にするとともに黒レベル、ユニカラー、色温度等の画質パラメータを調整して、明るさが暗くとも見やすい映像を作り出している。そして、再度節電ボタン７２２が操作されると、画面の明るさが標準の明るさに戻り、画質パラメータも標準に戻る。
【００３９】
地デジ（地上デジタル放送の略）のボタン７２３を操作すると、フルセグメント受信状態となる。ワンセグのボタン７２４を操作すると、ワンセグメント受信状態となる。フルセグメント受信状態とワンセグメント受信状態に応じて、図１で説明した室内アンテナ１０５が利用される。
【００４０】
ＵＨＦアンテナ１０１と室内アンテナ１０５の使用状態がアンテナ接続基板１０８のスイッチ回路において自動的に切替えられてもよい。ボタン１−１２は、チャンネル選択ボタン群７３０である。ボタン７２６は、音量調整用であり、＋側を押すと、音量が増大し、−側を押すと音量が低下する。ボタン７２７は、チャンネル切換用であり、ボタンの上側（図面上）を押さえるとチャンネル番号が増加する方向へ受信チャンネルが変化し、ボタンの下側（図面上）を押さえるとチャンネル番号が低下する方向へ受信チャンネルが変化する。
【００４１】
ボタン７３１は、現在受信しているチャンネルの放送局名、番組名、チャンネル番号、ワンセグメント又はフルセグメント、音声の種類（モノラル又はステレオ）などの詳細情報を一時的に表示するために利用される。ボタン７３２は、音声出力を停止させる（所謂消音させる）ために用いられる。ボタン７３３は、クイックメニュー（所謂簡易メニュー）を表示するために用いられる。クイックメニューのボタン７３３を押すと、映像設定項目、音声設定項目、省エネ設定項目、受信機能設定項目などが表示される。ユーザは、所望の項目をカーソル移動により選択し、決定ボタン７４１を押すと、選択した項目内に設定されている詳細項目が表示される。
【００４２】
ボタン７４Ｌ，７４Ｒ，７４Ｕ，７４Ｄは、カーソルを移動させることができるボタンであり、それぞれのボタンを操作すると、カーソルを画面上で左、右、上、下に移動させることができる。またボタン７４１は、決定を行うときに操作するボタンである。
【００４３】
ボタン７４５は、映像メニューを表示させるための操作ボタンであり、ボタン７４６は番組表を表示させるための操作ボタンである。ボタン７４７は、操作経過において、以前の操作状態に戻るための操作ボタンである。ボタン７４７は、現在のモードを終了させるための操作ボタンである。
【００４４】
図３には、上述したテレビジョン受信装置の受信形態が、フルセグメント受信状態、或いはワンセグメント受信状態に切換られたときの動作状態変化の一例を示している。今、外部アンテナ接続状態において、受信形態が、ワンセグメント受信に切換られたとする（ステップＳＡ-ＳＡ３）。この切換のトリガ信号としては、例えば、ユーザによるリモコン操作、あるはマニュアル操作、或いは設定されている条件（タイマー、節電情報など）に応じた自動操作による信号がある。
【００４５】
受信形態が、ワンセグメント受信に切換られると、商用ＡＣ電源の状態がチエックされる（ステップＳＡ４）。商用ＡＣ電源が供給されている場合には、ワンセグメント状態のまま、処理は終了する。ステップＳＡ４で商用ＡＣ電源が供給されていないことが判定された場合、バッテリー使用状態へ変化する（ステップＳＡ７）。そして、使用アンテナも内部アンテナの使用状態になる（ステップＳＡ８）。
【００４６】
さきのステップＳＡ３に戻り、フルセグメント受信が選択された場合、フルセグメント受信状態となる。フルセグメント受信状態にあいては、商用ＡＣ電源の状態が頻繁にチエックされる（ステップＳＡ５）。商用ＡＣ電源がテレビジョン受信装置に供給されている場合は、フルセグメント受信が維持される。しかし、商用ＡＣ電源がオフになると、ワンセグメント受信状態に自動的に切り替わる（ステップＳＡ６）。そして、バッテリー使用状態へ変化する（ステップＳＡ７）。また使用アンテナも内部アンテナの使用状態になる（ステップＳＡ８）。
【００４７】
上記の構成であると、ユーザは、フルセグ受信状態、ワンセグ受信状態のいずれにでも切り換えることができる。したがって、ユーザは、ＡＣ電源使用時であっても、節電を行うときは、ワンセグメント受信状態に切換、節電を行うことができる。
【００４８】
また、フルセグ受信状態、又はワンセグ受信状態のいずれであっても、商用ＡＣ電源が供給されなくなると、テレビジョン受信装置は、自動的にワンセグメント受信状態に切換り、バッテリー使用状態に移行する。このために、何らかの要因で停電状態になったとしても、テレビジョン受信装置は継続して動作することができ、視聴者（ユーザ）は、視聴情報を得ることができる。
【００４９】
上記のバッテリー５５３の充電に関しては、例えば、深夜など電力需要に余裕がある時間帯に充電するように設定してもよい。例えば、テレビジョン受信装置は、充電に関するメニューを表示することができる。このメニュー表示の項目内には、受電時間を設定できる項目が用意されている。ユーザは、リモートコントローラを操作して、所望の時間帯を選択し、決定ボタンを操作すると、停電状態でないことを条件にして、バッテリー５５３への充電が所望の時間帯に実行される。
【００５０】
しかし、テレビジョン受信装置は、番組視聴中には充電は行なわないという仕様である。つまり電源出力回路５００は、商用ＡＣ電源からの電源をバッテリー５５３へ充電する機能を有するが、テレビジョン受信装置が番組表示動作状態にあるときは、充電動作を禁止している。
【００５１】
またユーザーが「ピークシフト」ボタン（ピークシフトボタン７２１）を押した場合は、テレビジョン受信装置をバッテリー５５３で駆動するという使い方となる。バッテリー５５３の使用を推奨すべき時間帯としては、例えば、夏の午後などの電力使用ピーク時がある。このようにバッテリー５５３を使用すると、社会的な電力消費のピークを回避することに寄与できる。
【００５２】
また、停電時にはアンテナ用のブースター１０２の給電も止まり放送が見られないこともあるが、付属のアンテナ若しくは予め接続されている屋内アンテナを利用することで停電時などでもワンセグメント受信が可能である。例えばこのテレビジョン受信装置は、約３時間のバッテリー駆動が可能である。
【００５３】
停電の検出方法としては、各種の対応が可能である。
【００５４】
電源制御系４０２ａは、停電になったとしても所定時間の動作が可能なように、例えばバックアップ電源を一体に有する。したがって、電源ラインの電圧変動の検出、ＡＣアダプタ５５２の出力検出などを行うことで、停電（商用電源の非通電）を検出可能である。
【００５５】
停電（商用電源の非通電またはＡＣアダプタの出力低下）が検出された場合、電源制御系４０２ａは、電源出力回路５００の切り換えスイッチ（ＳＷ）５０２を、バッテリー５５３側に切り換える。すなわち、テレビジョン受信装置は、ＤＣ／ＤＣ変換器５０１により提供される、所定電圧及び電流（供給可能最大値）に設定されたバッテリー５５３の出力により動作される。
【００５６】
なお、テレビジョン受信装置への電力供給元をバッテリー５５３に切り換えることは、上述のピークシフトボタン７２１がオンされた場合にも実行される。この場合、商用電源の非通電またはＡＣアダプタ５５２の出力低下が生じないため、電源出力回路５００の切り換えスイッチ（ＳＷ）５０２は、ＡＣアダプタ５５２からの入力を完全に遮断しない。すなわち、例えば１Ｗ程度の電力については、上述のピークシフトボタン７２１のオンにより、電力供給元がバッテリー５５３に切り換えられた以降も、ＡＣアダプタ５５２から供給する。
【００５７】
これにより、例えばバッテリー５５３の電力供給能力（放電可能なレベル）が低下してテレビジョン受信装置の動作を継続できない状態に陥ったとしても、その時点でＡＣ（商用）電源が供給されている場合には、電源出力回路５００は、ＡＣアダプタ５５２が供給する電力によりテレビジョン受信装置を動作させることができる。すなわち、スイッチ５０２が上述したスイッチング素子を含むことにより、あるいは少なくとも１Ｗ程度の電力をＡＣアダプタ５５２（商用電源）から接続可能な電源接続（非遮断ラインを１系統以上含ませた複数の電力供給系統）を有することにより、バッテリー５５３からの電源供給とＡＣアダプタ５５２からの電源供給とを併用することが可能である。
【００５８】
従って、バッテリー５５３の充電量（残量）が非放電レベルまで低下した場合等においては、その時点でＡＣ（商用）電源が供給されている場合に、ＡＣアダプタ５５２が供給する電力（商用電源から直流に変換した出力）によりテレビジョン受信装置を動作させることができる。このことは、使用する使用電力の総量が商用電源（商用ＡＣ電源）の供給能力に迫った場合、すなわち商用電源が供給する電力の使用量を抑制すべき状態が生じた場合等において、バッテリーからの電力供給によって視聴を可能なテレビジョン受信装置が商用電源から供給される電力の消費を大幅に抑えることを実現できる。
【００５９】
また、バッテリーからの電力により動作するテレビジョン受信装置においてバッテリーの電力供給能力が下限に達した場合において、その時点で商用電源が供給されている場合は、ＡＣアダプタ５５２が供給する商用電力を変換した直流出力によりテレビジョン受信装置を動作させることができる。
【００６０】
従って、ユーザは、電力供給元が商用電源であるかバッテリー等の自電源であるかに拘わりなく、テレビジョン受信装置によるテレビ放送すなわち番組の受信及びその視聴を継続できる。なお、電力供給元の切り換え、特に自電源から商用電源への切り換えにおいては、上述の１Ｗ程度の電力をＡＣアダプタ５５２（商用電源）から供給することにより、リモートコントローラによる操作指示を受け付け可能であるから、リモートコントローラからのテレビ放送の視聴のための操作のみで、自電源から商用電源への切り換えが可能である。
【００６１】
なお、電源出力回路５００は、ＡＣアダプタ５５２に代えて商用電力を直流出力に変換する電源回路（インバータ／スイッチング回路）を内蔵することもでき、この場合、バッテリー５５３からの電力によりテレビジョン受信装置を動作させている間、スイッチング回路のスイッチング周波数を、スイッチ（ＳＷ）５０１を通過する電力が概ね１Ｗ程度になるよう、設定してもよい。
【００６２】
図４（Ａ）には、商用ＡＣ電源使用状態からバッテリー使用状態に切換ったときの案内画面の一例を示している。バッテリー使用状態に切換ったときは、停電時には、外部アンテナのブースターへの電源供給が停止するので、画像を視聴できなくなる可能性がある。この場合、画面上には、バッテリー駆動により、例えば、「本機は現在バッテリー使用状態にあります。ワンセグ受信状態に移行します。内部アンテナを使用してください。」などの案内コメント３１１を表示することができる。内部アンテナは、付属アンテナ、ワンセグ用アンテナと称されても良い。
【００６３】
図４（Ｂ）には、商用ＡＣ電源の使用時にテレビジョン受信装置の画面に表示されるアイコン３１２の例を示している。また図４（Ｃ）には、バッテリー使用時にテレビジョン受信装置の画面に表示されるアイコン３１３の例を示している。バッテリーの使用状態のときは、バッテリーマークのアイコンは、同時にバッテリー残量（斜めラインの数がバッテリー残量に相当する）も表示している。
【００６４】
図５には、フルセグメント受信状態からワンセグメント受信状態に切換った時点Ｔ１と、実際に画面が切換ったときの時点Ｔ２との関係を示している。フルセグメント受信状態から、ワンセグメント受信状態に切換り、ワンセグメントの画像が画面に表示されるまでは、有る程度の時間が必要である。そこで、画面上では、ワンセグメントの画像の出力準備が完了するまで、今まで表示していたフルセグメントの画像を継続し、ワンセグメントの画像の出力準備が完了したときに、画像が切換るように設定されている。またワンセグメントの画像の出力準備中は、画面上に画像出力準備中であることのコメントが表示可能である。
【００６５】
ピークシフトボタン７２１は、電力供給源（電力会社の電力供給プラント）の電力消費量の低減協力を行うために利用することができる。このピークシフトボタン７２１が操作されると、テレビジョン受信装置は、例えば、商用電源の使用状態から内蔵しているバッテリーの使用状態に切り替わることができる。さらにバッテリー使用状態においては、ワンセグメント受信状態に移行する。
【００６６】
図６（Ａ）−図６（Ｅ）は、ワンセグメント受信状態に移行した後の画像の例を示している。ワンセグメント受信状態に移行した後、テレビジョン受信装置は、フル画面で画像３２０を表示することができる。この状態であっても、バッテリー使用状態であるから、電力供給会社に対して電力消費量の低減協力を実施していることになる（図６（Ａ））。さらに、バッテリーの電力消費量の低減を実施する（バッテリーのパワーセーブを実施する）ために、表示領域をフル画面より小さい領域、例えば中央領域に設定することができる（図６（Ｂ））。
【００６７】
ここで、常に同じ領域が使用されると、輝度が高い画像３２０の領域の表示画素と、画像３２０の周囲の輝度が低い部分の表示画素の使用時間の差、あるいは、明るさの高い画像３２０の領域のバックライト素子と、画像３２０の周囲の明るさの低い部分のバックライト素子の使用時間の差が生じる。この結果、画像表示のために常時使用する領域と使用しない領域の境界に目に付くラインが生じることがある。そこで、このテレビジョン受信装置は、画像３２０の表示位置を、例えば図６（Ｂ），図６（Ｃ），図６（Ｄ）に示すように、移動させることができる。画像３２０の表示位置を移動させる時期は、例えばコマーシャルが始まったとき、あるいは一定時間が経過した時点、及びこれらを組み合わせた時点など種々の実施形態が可能である。
【００６８】
さらに、節電を行う目的で、表示する画像３２０領域の面積（大きさ）を設定することができる（図６（Ｅ））。
【００６９】
図７（Ａ）、図７（Ｂ）は、表示エリアを可変可能な表示器３００のバックライト部の構成例を示している。この表示器３００は、導光板３３１を有し、この導光板３３１の垂直方向の厚み面に対向して、水平光源３３２が配置され、水平方向の厚み面に対向して垂直光源３３３が配置されている。各光源３３２、３３３から出射された光は、導光板３３１内で反射して導光板３３１の前面方向へ出力し、バックライトとして機能する。光源の素子としては、たとえば複数の発光素子（ＬＥＤ）が使用されている。各光源３３２、３３３からの出射光は、前面に向けて均一な光で出力するように導光板３３１内で拡散されている。
【００７０】
水平光源３３２及び垂直光源３３３は、例えば、その８つの出射源Ｈ１−Ｈ８，Ｖ１−Ｖ８を有し、それぞれの出射源をオンオフ制御可能である。そのために、例えば、出射源Ｈ１、Ｈ８と、Ｖ１，Ｖ８をオフすると、導光板３３１の周囲の領域を暗くすることができる。暗い領域と明るい領域の境界が明確となるわけではないが、バックライト領域を制御することが可能である。
【００７１】
したがって、図６（Ｂ）−（Ｅ）で説明したような領域の画像３２０を表示する場合は、信号処理器は、画像３２０の周囲の信号は、輝度レベルゼロの画像として出力する。このように、図６（Ｂ）−（Ｅ）で説明したような領域の画像３２０を表示した場合、バックライトの点灯領域を制御し、一層の節電を行うことができる。
【００７２】
図８（Ａ）、図８（Ｂ）は、表示エリアを可変可能な表示器３００のバックライト部の他の構成例を示している。この表示器３００は、ガラス基板３４１の裏側に発光素子（ＬＥＤ）を２次元的に配列した基板３４２が配置されている。各発光素子は、任意の数の単位でオンオフ制御されることが可能である。したがって図示しないバックライトドライブ回路により、点灯する発光素子の領域を選択的に可変することができる。ガラス基板３４１の裏側には、光り拡散層が形成されており、外に出射する光が均一化するように工夫されている。したがって、バックライトの光により、全面から見たガラス基板３４１は、暗い領域と明るい領域の境界が必ずしも明確となるわけではないが、バックライト領域を制御することが可能である。
【００７３】
したがって、図６（Ｂ）−（Ｅ）で説明したような領域の画像３２０を表示する場合は、信号処理器は、画像３２０の周囲の信号は、輝度レベルゼロの画像として出力する。このように、図６（Ｂ）−（Ｅ）で説明したような領域の画像３２０を表示した場合、バックライトの点灯領域を制御し、一層の節電を行うことができる。
【００７４】
なお、表示器３００のバックライトシステムは、上記の構成に限定されるものではなく、例えば複数の蛍光管を用いたものであってもよい。また表示領域の分割数は上記の説明に限定されるものではない。上記の説明と同じ手法により、表示領域の分割数は、種々設計変更可能である。
【００７５】
上記の説明では、バックライトの照明領域が制御できることを説明した。しかし、節電のためには、バックライトによる照度の大小を制御してもよい。つまり全体の明るさを低下させることにより、消費電力が低減され節電を得ることができる。また照度を段階的に可変できるようにしてもよい。さらにまた照度の大小制御と、照明領域の可変制御を組み合わせてもよいことは勿論である。
【００７６】
テレビジョン受信装置のディスプレイとして、画面サイズが大きな大型のものが開発されている。これらのディスプレイの発光源としては、蛍光管、発光型素子（例えばＬＥＤ，有機ＥＬダイオード、プラズマダイオードなど）が用いられる。
【００７７】
これらの大型ディスプレイを有するテレビジョン受信装置において、ディスプレイの消費電力を節約することは、社会全体の節電の観点からみると、有効な手立てである。またテレビジョン受信装置が、ワンセグ受信状態に切換るだけであっても節電効果を得ることができる。
【００７８】
このテレビジョン受信装置は上記した動作が可能である。このテレビジョン受信装置は、制御ブロック４００の設けられるアプリケーションにより、上記した動作を種々の組み合わせた動作を得ることができる。
【００７９】
ワンセグメント受信状態で、制御ブロック４００は、信号処理器２００の出力映像信号が供給される表示器を、全画面領域での画像表示状態にすることができる。また別の態様では、ワンセグメント受信状態で、制御ブロック４００は、信号処理器２００の出力映像信号が供給される表示器を、画面の一部領域での画像表示状態にし、かつバックライトの一部領域をオフすることができる。さらにまた別の態様では、ワンセグメント受信状態で、制御ブロック４００は、信号処理器２００の出力映像信号が供給される表示器を全画面領域での画像表示状態から、前記バッテリーの残量が所定の値に低下すると、画面の一部領域での画像表示状態にし、かつバックライトの一部領域をオフすることができる。また別の態様では、ワンセグメント受信状態で、制御ブロック４００は、信号処理器２００の出力映像信号が供給される表示器を全画面領域の画像表示状態にした状態と、前記表示器の画面の一部領域の画像表示状態でかつバックライトの一部領域をオフすることができ、視聴者の操作に基づいて入力される選択信号に応答して、何れか一方の画像表示状態を設定することができる。また視聴者に対して視聴者の操作を促すコメントを表示器で表示することができる。
【００８０】
またさらに別の態様では、ワンセグメント受信状態に移行した場合、チューナ１１０は外部アンテナからの放送信号を入力し、電源出力回路５００は外部アンテナ１０１のブースター１０２に電源を供給することができる。また別の態様では、ワンセグメント受信状態に移行した場合、チューナ１１０は外部アンテナ１０１からの放送信号を入力し、電源出力回路５００は外部アンテナのブースター１０２への電源供給を停止することができる。また別の態様では、ワンセグメント受信状態に移行した場合、チューナへの入力が付属アンテナからの放送信号を入力に切換り、電源出力回路５００は外部アンテナのブースター１０２への電源供給を停止することができる。このときアンテナは自動的に切換られてもよいし、表示器により視聴者に対して、アンテナの切換を促すコメントを表示しても良い。
【００８１】
また別の実施態様では、バッテリーの残量或いは視聴者の操作に応じて、図６（Ａ）−（Ｅ）で説明した画像３２０の表示領域の大きさを可変することができる。または、映像出力を活かして、音声系統の回路をオフし、電力節約することができるし、または、音声を活かして、映像出力を停止して電力節約を図ることができる。
【００８２】
図９（Ａ），図９（Ｂ）には、上記テレビジョン受信装置の各種設定を行うためのメニューの例とリモートコントローラ７００の操作子の例を示している。リモートコントローラ７００のクイックメニューのボタン７３３を操作すると、メニューが表示器３００に表示され、このメニューの項目として「映像設定」、「音声設定」、「省エネ設定」、「受信器設定」の項目がある。ここで、視聴者は、ボタン７４Ｕ或いはボタン７４Ｄを操作し、カーソルを移動させ、所望の項目を選択することができる。今、視聴者が「省エネ設定」の項目３３１をカーソルにより選択し、決定ボタン７４１を押すと、次の階層のメニューが表示される。このメニューには、項目として、「番組情報取得設定」、「無操作自動電源オフ」、「オンエアー無信号オフ」、「外部入力無信号オフ」、「夜間充電」という項目が含まれる。各項目にカーソルを移動させると、それぞれ項目をオン又はオフするためのオンオフボタンが表示される。
【００８３】
例えば、「番組情報取得設定」にカーソルを合わせると、同時にオンオフボタンが表示される。ここで、視聴者がボタン７４Ｕ或いはボタン７４Ｄを操作し、「オン」を選択して決定ボタン７４１を押すと、電源がオフのとき（待機状態のとき）デジタル放送の番組情報を取得する機能が設定される、しかし「オフ」を選択して決定ボタン７４１を押すと、番組情報を取得しないように設定される。
【００８４】
次に、「無操作自動電源オフ」にカーソルを合わせると、同時にオンオフボタンが表示される。ここで、視聴者がボタン７４Ｕ或いはボタン７４Ｄを操作し、「オン」を選択して決定ボタン７４１を押すと、テレビジョン受信装置の無操作状態が約３時間続くと、電源がオフとなり待機状態となる。「オフ」を選択した場合は、無操作状態の時間が約３時間続いても、電源はオンのままとなる。
【００８５】
次に、「オンエアー無信号オフ」にカーソルを合わせると、同時にオンオフボタンが表示される。ここで、視聴者がボタン７４Ｕ或いはボタン７４Ｄを操作し、「オン」を選択して決定ボタン７４１を押すと、放送受信時に、無信号状態が約１５分続くと、電源がオフとなり、待機状態となる。「オフ」を選択した場合は、無信号状態が続いても電源はオンのままである。
【００８６】
次に、「外部入力無信号オフ」にカーソルを合わせると、同時にオンオフボタンが表示される。ここで、視聴者がボタン７４Ｕ或いはボタン７４Ｄを操作し、「オン」を選択して決定ボタン７４１を押すと、外部入力選択時に無信号状態が約１５分続くと、電源がオフとなり、待機状態となる。「オフ」を選択した場合は、無信号状態が続いても電源はオンのままである。
【００８７】
次に、「夜間充電」にカーソルを合わせると、同時にオンオフボタンが表示される。ここで、視聴者がボタン７４Ｕ或いはボタン７４Ｄを操作し、「オン」を選択して決定ボタン７４１を押すと、例えば夜の１０時から朝の９時までの間に自動的にバッテリーを充電する（ただし装置が待機状態にあるとき）。「オフ」を選択した場合は、装置の電源がオフであり、待機状態にあるときにバッテリーを充電する。
【００８８】
このように、上述の実施形態を適用することにより、電力供給元が商用電源であるか、バッテリー等の自電源であるかに拘わりなく、テレビジョン受信装置によるテレビ放送の受信及び視聴を継続できる。
【００８９】
図１０は、本実施形態で利用された節電形態及び又はピークシフト動作の設定画面の一例を示している。
【００９０】
本実施形態のテレビジョン受信装置は、節電動作及び又はピークシフト動作に移行することができる。この場合、ある実施形態では、節電動作及び又はピークシフト動作の方式を選択することができる。該実施形態では、例えば、メニューから節電動作及び又はピークシフト動作を実行するための設定を行うとき、その動作方式を選択するメニューを表示することができる。
【００９１】
動作方式としては、例えば、輝度を調整することで節電動作及び又はピークシフト動作を実行するのか、画面サイズを大から小に変化させて節電動作及び又はピークシフト動作を実行するのかを決定することができる。ユーザは、選択画面上で所望の項目にカーソルを移動させて、決定ボタンを操作すると、選択した項目に表示されている動作により、節電及び又はピークシフトが実行される。また選択項目としては、輝度の調整と画面サイズの調整を組み合わせた項目があってもよい。
【００９２】
図１１（Ａ），（Ｂ）は、インジケータの例を示している。
【００９３】
テレビジョン受信装置が商用ＡＣ電源で動作開始したとき或いは商用ＡＣ電源で動作中にチャンネル切換などの操作がったとき、図１１（Ａ）のインジケータは、現在の輝度レベルが最大明−最大暗の間のどの位置に有るかを画面上で示すことができる。この場合は、例えば、輝度が明暗の中間位置へ調整された例を示している。また図１１（Ｂ）のインジケータは、テレビジョン受信装置がピークシフト動作に移ったときに表示される際の例を示している。この場合は、例えば、輝度が暗い方向へ調整された例を示している。
【００９４】
また、上述の実施形態を適用することにより、電力供給元に対し、節電対策に貢献し得るテレビジョン受信装置が得られる。
【００９５】
また、自電源（バッテリー）の電力供給能力が下限に達したとしても、その時点で商用電源が供給されている場合は、商用電力によりテレビジョン受信装置を動作させることにより、テレビ放送の受信を継続できる。なお、リモートコントローラからのテレビ放送の視聴のための操作により、自電源から商用電源への切り換えが可能であり、電源切り換えの煩雑さ（切り換えのために追加される特別な操作）が生じることなく、連続したテレビジョン放送の受信と視聴ができる。
【００９６】
また、ユーザは、節電形態及び又はピークシフト動作時の表示部３００の表示の例を参照して、一定期間の間、バッテリーが保持する電力（放電能力）によりテレビジョン受信装置を動作させるバッテリー駆動すなわちピークシフトボタンをオンするタイミング（きっかけ）を得ることができる。
【００９７】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００９８】
１…テレビジョン受信装置（映像表示装置）、１１０…チューナ、２００…信号処理部、３００…表示部、４００…制御ブロック、４０１…主マイクロプロセッシングユニット（主ＭＰＵ）、４０２…副マイクロプロセッシングユニット（副ＭＰＵ）、４０２ａ…電源制御系、４０２ｂ…操作信号対応系、５００…視差情報生成部、５０１…ＤＣ／ＤＣ変換器、５０２…切り換えスイッチ（ＳＷ）、５５２…ＡＣアダプタ、５５３…バッテリー（自電源）。
【図１】
2013005108.tif 000003
【図２】
2013005108.tif 000004
【図３】
2013005108.tif 000005
【図４】
2013005108.tif 000006
【図５】
2013005108.tif 000007
【図６】
2013005108.tif 000008
【図７】
2013005108.tif 000009
【図８】
2013005108.tif 000010
【図９】
2013005108.tif 000011
【図１０】
2013005108.tif 000012
【図１１】
2013005108.tif 000013
【手続補正書】
【提出日】平成24年7月30日(2012.7.30)
【手続補正１】
【補正対象書類名】特許請求の範囲
【補正対象項目名】全文
【補正方法】変更
【補正の内容】
【特許請求の範囲】
【請求項１】
装置の動作に用いる直流電源を商用電源から供給する第１の電源部と、同直流電源を内部から供給する第２の電源部と、を切り換える電源切換部と、
前記電源切換部により前記第２の電源部が選択され、動作している間、操作信号の入力を受け付け可能とするための動作に必要な電力を、前記第１の電源部から供給させる電源制御部と、
前記電源切換部において、前記第１の電源部からの前記操作信号の入力を受け付け可能とするための動作に必要な前記電力を、切り換えられた前記第２の電源部からの電源供給と独立に提供するスイッチ部と、
を具備する映像表示装置。
【請求項２】
前記スイッチ部は、少なくとも２つの電源供給系を含み、任意の１つの電源供給系により、前記電源制御部と前記第１の電源と間の接続を維持する請求項１記載の映像表示装置。
【請求項３】
前記スイッチ部の前記任意の１つの電源供給系は、操作信号の入力を受け付け可能とするための動作に必要な前記電力を提供する請求項１または２記載の映像表示装置。
【請求項４】
前記第２の電源部は、所定の容量の電力供給能を有する充電池を含む請求項３記載の映像表示装置。
【請求項５】
外部から供給される直流電源を内部に保持する直流電源に切り換える際に、操作信号の受け付けを可能とするための電力を、外部から供給される直流電源との接続を維持して駆動する駆動方法。
【請求項６】
外部から供給される直流電源を内部に保持する直流電源に切り換えに、少なくとも２つの電源供給系を含むスイッチ要素を用い、任意の１つの電源供給系により、外部から供給される直流電源との接続を維持する請求項５記載の駆動方法。
【請求項７】
映像信号及び音声信号を受信する受信部と、
前記受信部が受信した映像信号及び音声信号を再生する再生部と、
前記再生部が再生した映像を表示する表示部と、
少なくとも前記受信部、再生部及び表示部の動作を制御する制御部と、
前記制御部に対する制御指示を受け付ける指示入力部と、
前記各部に、商用電源または内蔵電源から電源を供給する電源制御部と、
前記電源制御部が前記内蔵電源から電源を供給する際に、前記内蔵電源からの電源の供給と独立に、前記指示入力部に対して前記商用電源からの電源供給を維持する切換部と、
を具備するテレビジョン受信装置。
【請求項８】
前記切換部は、少なくとも２つの電源供給系を含み、任意の１つの電源供給系により前記指示入力部への電源供給を維持する請求項７記載のテレビジョン受信装置。
【請求項９】
商用電源から直流電源を供給する第１の電源部と、内部から直流電源を供給する第２の電源部と、を切り換える電源切換部と、
操作信号の入力を受け付けるための電力を、前記電源切換部により切り換えられた前記第２の電源部からの電力供給と独立に提供する電源制御部と、
を具備する映像表示装置。
【手続補正２】
【補正対象書類名】明細書
【補正対象項目名】０００７
【補正方法】変更
【補正の内容】
【０００７】
実施形態において、映像表示装置は、電源切換部と、電源制御部と、スイッチ部と、を具備する。電源切換部は、装置の動作に用いる直流電源を商用電源から供給する第１の電源部と、同直流電源を内部から供給する第２の電源部と、を切り換える。電源制御部は、前記電源切換部により前記第２の電源部が選択され、動作している間、操作信号の入力を受け付け可能とするための動作に必要な電源容量について、前記第１の電源部から供給させる。スイッチ部は、前記電源切換部において、前記第１の電源部からの前記操作信号の入力を受け付け可能とするための動作に必要な電源容量を、切り換えられた前記第２の電源部からの電源供給と独立に提供する。
【手続補正３】
【補正対象書類名】明細書
【補正対象項目名】００３０
【補正方法】変更
【補正の内容】
【００３０】
電源出力回路５００は、電源制御系４０２ａの制御の元で、テレビジョン受信装置の電源使用状態を、商用電源使用状態、バッテリー電源使用状態に切り替えることができる。この電源使用状態は、スイッチ（ＳＷ）５０２が、電源制御系４０２ａにより制御されることで切り替わることができる。なお、スイッチ５０２は、少なくとも２系統の接点を含み、かつ全ての接点が同時にオン／オフすることのない多接点であることが好ましい。また、スイッチ５０２は、マルチタップのような、例えば供給される電圧の変化に応じて接点のオン／オフを制御できるスイッチング素子や無接点スイッチ、例えばＳＳＲ（ソリッドステートリレー）を含むことが好ましい。
【手続補正４】
【補正対象書類名】明細書
【補正対象項目名】００７６
【補正方法】変更
【補正の内容】
【００７６】
テレビジョン受信装置のディスプレイとして、画面サイズが大きな大型のものが開発されている。これらのディスプレイの発光源としては、蛍光管、発光型素子（例えばＬＥＤ，有機ＥＬダイオード、プラズマディスプレイなど）が用いられる。
【手続補正５】
【補正対象書類名】明細書
【補正対象項目名】００９８
【補正方法】変更
【補正の内容】
【００９８】
１…テレビジョン受信装置（映像表示装置）、１１０…チューナ、２００…信号処理部、３００…表示部、４００…制御ブロック、４０１…主マイクロプロセッシングユニット（主ＭＰＵ）、４０２…副マイクロプロセッシングユニット（副ＭＰＵ）、４０２ａ…電源制御系、４０２ｂ…操作信号対応系、５００…電源出力回路、５０１…ＤＣ／ＤＣ変換器、５０２…切り換えスイッチ（ＳＷ）、５５２…ＡＣアダプタ、５５３…バッテリー（自電源）。